(57)【要約】【課題】暗い場所や薄暗い場所でも圧力計の表示値を容易に読み取ることができる空気圧縮機を実現する。【解決手段】エアコンプレッサ１Ａは、圧縮空気生成部６によって生成された圧縮空気を貯留する空気タンク１０ａ，１０ｂと、圧縮空気が吐出されるソケット１１ａ，１２ａと、吐出される圧縮空気の圧力を調節する減圧弁１３ａ，１３ｂと、吐出される圧縮空気の圧力を表示する圧力計１４ａ，１４ｂと、圧縮空気生成部６を覆うカバー５と、カバー５上に設けられた操作パネル２０と、操作パネル２０と一体、または操作パネル２０の近傍に配置される回路基板と、操作パネル２０および前記回路基板の近傍に設けられ、前記回路基板から電力の供給を受けて発光するＬＥＤランプ３１，３２と、を有し、ＬＥＤランプ３１，３２から発せられる光が圧力計１４ａ，１４ｂの前面に照射される。【選択図】図２
2019002322.tif 000002
【特許請求の範囲】
【請求項１】
モータを動力源とする圧縮空気生成部と、
前記圧縮空気生成部によって生成された圧縮空気を貯留する空気タンクと、
前記空気タンクに貯留されている圧縮空気が吐出される供給口と、
前記供給口から吐出される圧縮空気の圧力を調節する調節部と、
前記供給口から吐出される圧縮空気の圧力を表示する表示部と、
前記圧縮空気生成部を覆うカバーと、
前記カバー上に設けられ、使用者によって操作される操作部が設けられる操作パネルと、
前記操作パネルと一体、または前記操作パネルの近傍に配置される回路基板と、
前記操作パネルおよび回路基板の近傍に設けられ、前記回路基板から電力の供給を受けて発光する光源と、を有し、
前記光源から発せられる光が前記表示部の前面に照射される、
空気圧縮機。
【請求項２】
前記カバーに設けられ、前記光源から発せられる光を前記表示部に向けて案内する導光部を有する、請求項１に記載の空気圧縮機。
【請求項３】
前記導光部は、
前記カバーに形成され、前記光源と前記表示部との間に延びる溝である、請求項２に記載の空気圧縮機。
【請求項４】
前記溝の内面に設けられた反射材を有する、請求項３に記載の空気圧縮機。
【請求項５】
前記溝の内側に設けられた導光部材を有する、請求項３に記載の空気圧縮機。
【請求項６】
前記調節部と前記表示部とは隣接して配置されており、
前記光源から発せられる光によって前記調節部および前記表示部が照明される、
請求項１〜５のいずれか一項に記載の空気圧縮機。
【請求項７】
空気圧縮機の状態に応じて、前記光源が発光し、または前記光源の発光状態が変化する、請求項１〜６のいずれか一項に記載の空気圧縮機。
【発明の詳細な説明】
【技術分野】
【０００１】
本発明は空気圧縮機に関するものであり、特に、釘打機やネジ打機などの空気工具に対する圧縮空気供給源としての利用に適した空気圧縮機に関する。
【背景技術】
【０００２】
一般的な空気圧縮機は、圧縮空気生成部と、圧縮空気生成部によって生成された圧縮空気を貯留するタンクと、を有する。圧縮空気生成部は、例えば、動力源と、動力源から出力される駆動力によって往復駆動されるピストンと、ピストンを往復動可能に収容し、ピストンの往復動に伴って容積が変化するシリンダと、を含む。動力源には、回転駆動力を出力する電動モータが用いられることがあり、この場合、電動モータから出力される回転駆動力は、変換機構によって往復駆動力に変換されてピストンに伝達される。
【０００３】
所定方向へのピストンの移動に伴ってシリンダの容積が拡大すると、シリンダ内が負圧になり、シリンダ内に空気が導入される。シリンダ内に導入された空気は、シリンダ内を前記所定方向とは逆方向に移動するピストンによって圧縮され、圧力が高められる。圧縮された空気（高圧空気）は、所定の配管を介してタンクに送られ、当該タンクに貯留される。
【０００４】
上記のような空気圧縮機には、タンクに貯留されている圧縮空気の取り出し口である供給口と、供給口から取り出される圧縮空気の圧力を調節する減圧弁と、が設けられる。供給口は、例えば、エアホースの端部に設けられるプラグを挿入可能なソケットによって形成される。さらに、減圧弁の近傍には、減圧弁によって調節された圧縮空気の圧力、つまり供給口から吐出される圧縮空気の圧力を表示する圧力計が設けられる。
【先行技術文献】
【特許文献】
【０００５】
【特許文献１】特開２０１０−１４０５７号公報
【発明の概要】
【発明が解決しようとする課題】
【０００６】
空気圧縮機は、照明設備が未だ整えられていない建設中の建屋内で使用されたり、夜間に使用されたりすることがある。このような暗い場所や薄暗い場合で空気圧縮機が使用される場合、圧力計の表示値を読み取ることが困難または不可能となる。また、圧力計周辺に設けられ、使用者によって操作される減圧弁が視認し難くなる。このため、懐中電灯やその他の仮設の照明器具によって圧力計やその周囲を照明する必要がある。また、照明器具を必要としないまでも、作業場所を離れて空気圧縮機に近寄らなければ圧力計の表示値を読み取ることができないこともある。
【０００７】
本発明の目的は、暗い場所や薄暗い場所でも空気圧縮機の利便性を高めることである。
【課題を解決するための手段】
【０００８】
本発明の空気圧縮機は、モータを動力源とする圧縮空気生成部と、前記圧縮空気生成部によって生成された圧縮空気を貯留する空気タンクと、前記空気タンクに貯留されている圧縮空気が吐出される供給口と、前記供給口から吐出される圧縮空気の圧力を調節する調節部と、前記供給口から吐出される圧縮空気の圧力を表示する表示部と、前記圧縮空気生成部を覆うカバーと、前記カバー上に設けられ、使用者によって操作される操作部が設けられる操作パネルと、前記操作パネルと一体、または前記操作パネルの近傍に配置される回路基板と、前記操作パネルおよび回路基板の近傍に設けられ、前記回路基板から電力の供給を受けて発光する光源と、を有し、前記光源から発せられる光が前記表示部の前面に照射される。
【発明の効果】
【０００９】
本発明によれば、暗い場所や薄暗い場所でも空気圧縮機の利便性を高められる。
【図面の簡単な説明】
【００１０】
【図１】第１の実施形態に係るエアコンプレッサの外観を示す斜視図である。
【図２】第１の実施形態に係るエアコンプレッサの外観を示す平面図である。
【図３】第１の実施形態に係るエアコンプレッサの部分拡大図である。
【図４】図２中のＡ−Ａ線に沿った断面の一部を示す拡大図である。
【図５】第１の実施形態に係るエアコンプレッサの変形例を示す部分拡大断面図である。
【図６】第１の実施形態に係るエアコンプレッサの他の変形例を示す部分拡大断面図である。
【図７】第２の実施形態に係るエアコンプレッサの外観を示す平面図である。
【図８】図７中のＢ−Ｂ線に沿った断面の一部を示す拡大図である。
【図９】ＬＥＤランプの制御フローの一例を示す図である。
【図１０】ＬＥＤランプの制御フローの他の一例を示す図である。
【発明を実施するための形態】
【００１１】
（第１の実施形態）
以下、本発明の空気圧縮機の実施形態の一例について説明する。本実施形態に係る空気圧縮機は、電動モータ（以下「モータ」）を動力源とする圧縮空気生成部を備えるレシプロ型のエアコンプレッサである。本実施形態に係るエアコンプレッサの用途は特に限定されないが、圧縮空気の圧力によって釘やネジを木材などに打ち込む空気工具に圧縮空気を供給する供給源としての利用に適している。以下、本実施形態に係るエアコンプレッサについて図面を参照しながら詳細に説明する。
【００１２】
図１，図２に示されるエアコンプレッサ１Ａは、本体２と、本体２に連結された互いに平行な２つの空気タンク１０ａ，１０ｂと、を有する。それぞれの空気タンク１０ａ，１０ｂの両端部下面には脚部３が装着されており、エアコンプレッサ１Ａは、４つの脚部３によって所望の設置場所に置かれる。また、本体２の両端部にはそれぞれハンドル４ａ，４ｂが設けられており、使用者はハンドル４ａ，４ｂを把持してエアコンプレッサ１Ａを持ち運ぶことができる。
【００１３】
本体２はカバー５によって覆われた圧縮空気生成部６を備えている。圧縮空気生成部６についての詳細な説明は省略するが、圧縮空気生成部６は概ね次のような構造を備えている。圧縮空気生成部６は、動力源であるモータと、クランクケースと、２つのシリンダ（第１シリンダ，第２シリンダ）と、を含んでいる。モータは、ステータと、ステータの内側に組み込まれたロータと、ロータと一体化された回転軸（モータ回転軸）と、ロータの回転位置を検出するホール素子などを有するＤＣブラシレスモータである。
【００１４】
モータ回転軸は、ロータを貫通してロータの軸方向両側に突出している。ロータの軸方向一方側に突出しているモータ回転軸の突出部は、クランクケースを貫通しており、クランクケースに設けられている軸受によって回転自在に支持されている。
【００１５】
第１シリンダおよび第２シリンダは、クランクケースの両側に設けられている。第１シリンダと第２シリンダは、モータ回転軸の回転方向に関して１８０度異なる位置に配置されており、第１シリンダには第１ピストンが往復動可能に収容され、第２シリンダには第２ピストンが往復動可能に収容されている。
【００１６】
モータ回転軸の回転運動を第１ピストンの往復運動に変換するために、第１ピストンには、第１コネクティングロッドの一端がピン結合されており、第１コネクティングロッドの他端は、モータ回転軸に装着されている偏心カムに回転自在に連結されている。また、モータ回転軸の回転運動を第２ピストンの往復運動に変換するために、第２ピストンには、第２コネクティングロッドの一端がピン結合されており、第２コネクティングロッドの他端は、モータ回転軸に装着されている他の偏心カムに回転自在に連結されている。モータから出力される回転駆動力は、偏心カムやコネクティングロッド等からなる変換機構によって往復駆動力に変換されてピストン（第１ピストン，第２ピストン）に伝達される。
【００１７】
第１ピストンが第１シリンダの上室を圧縮する方向に駆動されるとき、第２ピストンは第２シリンダの上室を膨張させる方向に駆動される。一方、第２ピストンが第２シリンダの上室を圧縮する方向に駆動されるとき、第１ピストンは第１シリンダの上室を膨張させる方向に駆動される。
【００１８】
それぞれのシリンダのシリンダヘッドの内側には、バッファ室が設けられている。第１ピストンが第１シリンダの上室を圧縮する方向に駆動され、上室内の空気の圧力が所定圧力よりも高くなると、第１シリンダの上室とバッファ室との間にある逆止弁が開かれる。すると、第１ピストンによって圧縮された空気は、第１シリンダと第２シリンダとを連通させている配管を介して第２シリンダの上室に送られる。
【００１９】
第２ピストンが第２シリンダの上室を圧縮する方向に駆動され、上室内の空気の圧力が所定圧力よりも高くなると、第２シリンダの上室とバッファ室との間にある逆止弁が開かれる。すると、第２ピストンによって圧縮された空気は、第２シリンダと空気タンク１０ａとを連通させている配管を介して空気タンク１０ａに送られ、貯留される。もっとも、空気タンク１０ａ，１０ｂは互いに連通しており、空気タンク１０ａ，１０ｂ内の圧力は均等に保たれる。
【００２０】
ここで、第１シリンダの上室には外気が導入される。すなわち、第１ピストンは外気を圧縮し、第２ピストンは、第１ピストンによって圧縮された外気（空気）をさらに圧縮する。換言すれば、第１ピストンは１段目の低圧用のピストンであり、第２ピストンは２段目の高圧用のピストンである。また、第１シリンダは１段目の低圧用のシリンダであり、第２シリンダは２段目の高圧用のシリンダである。このように、本実施形態に係るエアコンプレッサ１Ａは、空気を２段階で圧縮する。具体的には、第１シリンダにおいて１．０[ＭＰａ]前後の圧縮空気が生成され、第２シリンダにおいて４．０〜４．５[ＭＰａ]程度の圧縮空気が生成される。
【００２１】
空気タンク１０ａの端部上方には、圧縮空気の取り出し口である供給口を形成するソケット１１ａ，１１ｂが設けられ、空気タンク１０ｂの端部上方には、圧縮空気の取り出し口である供給口を形成するソケット１２ａ，１２ｂが設けられている。また、ソケット１１ａ，１１ｂの近傍には、これらソケット１１ａ，１１ｂから吐出される圧縮空気の圧力を調節する調節部としての減圧弁１３ａが設けられ、ソケット１２ａ，１２ｂの近傍には、これらソケット１２ａ，１２ｂから吐出される圧縮空気の圧力を調節する調節部としての減圧弁１３ｂが設けられている。さらに、減圧弁１３ａの近傍には、当該減圧弁１３ａによって調節され、ソケット１１ａ，１１ｂから吐出される圧縮空気の圧力を表示する表示部としての圧力計１４ａが設けられ、減圧弁１３ｂの近傍には、当該減圧弁１３ｂによって調節され、ソケット１２ａ，１２ｂから吐出される圧縮空気の圧力を表示する表示部としての圧力計１４ｂが設けられている。減圧弁１３ａと圧力計１４ａは隣接して配置されており、減圧弁１３ｂと圧力計１４ｂは隣接して配置されている。具体的には、減圧弁１３ａと圧力計１４ａ、減圧弁１３ｂと圧力計１４ｂは、空気タンク１０ａ，１０ｂの長手方向に沿ってそれぞれ隣接している。
【００２２】
以下の説明では、空気タンク１０ａ，１０ｂの長手方向をエアコンプレッサ１Ａの「前後方向」、空気タンク１０ａ，１０ｂの配列方向をエアコンプレッサ１Ａの「左右方向」と定義する。つまり、図２の紙面左右方向をエアコンプレッサ１Ａの「前後方向」、図２の紙面上下方向をエアコンプレッサ１Ａの「左右方向」と定義する。さらに、ハンドル４ａが設けられている側をエアコンプレッサ１Ａの「前方」、ハンドル４ｂが設けられている側をエアコンプレッサ１Ａの「後方」と定義する。また、減圧弁１３ａおよび圧力計１４ａが設けられている側をエアコンプレッサ１Ａの「右側」、減圧弁１３ｂおよび圧力計１４ｂが設けられている側をエアコンプレッサ１Ａの「左側」と定義する。
【００２３】
圧縮空気生成部６を覆っているカバー５の上面には操作パネル２０が設けられている。操作パネル２０は、カバー５の上面であって、減圧弁１３ａ，圧力計１４ａと減圧弁１３ｂ，圧力計１４ｂとの間に位置している。言い換えれば、操作パネル２０の右側に減圧弁１３ａおよび圧力計１４ａが配置され、操作パネル２０の左側に減圧弁１３ｂおよび圧力計１４ｂが配置されている。
【００２４】
図２に示されるように、カバー５の上面には、減圧弁１３ａ，圧力計１４ａが配置される略平坦な第１搭載面５ａと、減圧弁１３ｂ，圧力計１４ｂが配置される略平坦な第２搭載面５ｂと、が形成されている。図１に示されるように、第１搭載面５ａと第２搭載面５ｂとの間には、これら搭載面５ａ，５ｂよりも一段高いステージ７が形成されている。操作パネル２０は、カバー５の上面の一部であるステージ７の上面７ａに設けられている。操作パネル２０が設けられているステージ７の上面７ａには、ハンドル４ａに向かって次第に低くなる下り勾配が付けられている。つまり、ステージ７の上面７ａは後方から前方に向かって下り傾斜の斜面であり、ここに設けられている操作パネル２０もステージ７の上面７ａと同様に傾斜している。
【００２５】
操作パネル２０には、使用者によって操作される複数の操作部が設けられている。図２に示されるように、操作パネル２０には、少なくとも主電源ボタン（不図示）および照明ボタン２１が設けられている。また、操作パネル２０の背後（裏側）には回路基板２２（図４）が配置されている。回路基板２２には、操作部の操作に基づいてエアコンプレッサ１Ａの各部を制御する制御部を構成する電子回路や、電子回路に入出力される信号や電力を伝送するための配線などが設けられている。操作部の１つである主電源ボタンがＯＮされると、圧縮空気生成部６を始動させるための信号が制御部から出力され、圧縮空気生成部６が運転を開始する。もっとも、制御部は、空気タンク１０ａ，１０ｂの内圧が所定圧力に達すると圧縮空気生成部６の運転を停止させ、その後、空気タンク１０ａ，１０ｂの内圧が所定圧力以下まで低下すると、圧縮空気生成部６の運転を再開させる。もっとも、かかる制御は制御部によって実行される制御の一例に過ぎない。制御部は、エアコンプレッサ１Ａを制御するための制御プログラムが格納されたＲＯＭや、制御プログラムの実行に必要なデータや演算結果が一時的に格納されるＲＡＭなどを含んでおり、エアコンプレッサ１Ａを統括的に制御する。
【００２６】
再び図２を参照する。操作パネル２０の右側面には光源としてのＬＥＤランプ３１が設けられ、操作パネル２０の左側面には光源としてのＬＥＤランプ３２が設けられている。また、カバー５には、ＬＥＤランプ３１，３２から発せられる光を圧力計１４ａ，１４ｂに向けて案内する導光部としての溝が形成されている。具体的には、ステージ７の右側面７ｂに、ＬＥＤランプ３１から発せられる光を圧力計１４ａに導く導光溝３３が形成され、ステージ７の左側面７ｃに、ＬＥＤランプ３２から発せられる光を圧力計１４ｂに導く導光溝３４が形成されている。
【００２７】
図３に示されるように、導光溝３３は、ＬＥＤランプ３１と圧力計１４ａとの間に延びており、圧力計１４ａに近接するに従って次第に拡幅する略三角形の形状を有する。言い換えれば、導光溝３３は、ＬＥＤランプ３１の中心又はその近傍の一点を頂点とする略三角形の形状を有する。
【００２８】
図２に示されるように、導光溝３４は、ＬＥＤランプ３２と圧力計１４ｂとの間に延びており、圧力計１４ｂに近接するに従って次第に拡幅する略三角形の形状を有する。言い換えれば、導光溝３４は、ＬＥＤランプ３２の中心又はその近傍の一点を頂点とする略三角形の形状を有する。尚、導光溝３４の拡大図は省略するが、図２に示されている導光溝３４は、図３に示されている導光溝３３と同一の形状および寸法を有する。
【００２９】
図２に示されるＬＥＤランプ３１，３２は、回路基板２２（図４）と電気的に接続されており、回路基板２２から電力の供給を受けて点灯する。具体的には、操作パネル２０に設けられている操作部の１つである照明ボタン２１の操作に基づいてＬＥＤランプ３１，３２に電力が供給され、また、ＬＥＤランプ３１，３２に対する電力供給が停止される。より具体的には、操作パネル２０に設けられている主電源ボタンがＯＮされている状態で照明ボタン２１が押されるとＬＥＤランプ３１，３２が発光（点灯）し、照明ボタン２１がもう一度押されるとＬＥＤランプ３１，３２が消灯し、照明ボタン２１がさらにもう一度押されるとＬＥＤランプ３１，３２が再点灯する。
【００３０】
図４に示されるように、ＬＥＤランプ３１から発せられた光は、導光溝３３によって圧力計１４ａに向かって案内され、圧力計１４ａを照明する。このとき、減圧弁１３ａと圧力計１４ａとは隣接しているので、ＬＥＤランプ３１から発せられた光の一部によって減圧弁１３ａも同時に照明される。同様に、図２に示されるＬＥＤランプ３２から発せられた光は、導光溝３４によって圧力計１４ｂに向かって案内され、圧力計１４ｂを照明する。このとき、減圧弁１３ｂと圧力計１４ｂとは隣接しているので、ＬＥＤランプ３２から発せられた光の一部によって減圧弁１３ｂも同時に照明される。
【００３１】
図５に示されるように、導光溝３３の内面に金属膜や金属板などの反射材３５を設けてもよい。この場合、図２に示される導光溝３４の内面にも同様の反射材を設けることが好ましい。加えて、反射材の取付角度によってＬＥＤランプ３１，３２の照射範囲を調整可能としてもよい。また、図６に示されるように、導光溝３３の内側にアクリル樹脂などからなる導光部材３６を設けてもよい。この場合、図２に示される導光溝３４の内側にも同様の導光部材を設けることが好ましい。これら変形例では、光源から発せられた光によって照明対象（圧力計や減圧弁）がより効果的に照明される。
【００３２】
また、導光溝の内側に導光部材を設ける場合には、光源の一部または全部を導光部材に埋設することもできる。この場合、導光部材によって光源が保護され、光源の破損が防止される。
【００３３】
以上のように、本実施形態に係るエアコンプレッサ１Ａは、少なくとも圧力計１４ａ，１４ｂを照明するＬＥＤランプ３１，３２を備えているので、暗い場所や薄暗い場所でも圧力計の表示値を容易に読み取ることができる。尚、光源を備えた自発光型の圧力計を採用すれば、暗い場所や薄暗い場所でも圧力計の表示値を容易に読み取ることが可能となる。しかし、自発光型の圧力計は一般的に価格が高く、この種の圧力計の採用は空気圧縮機の製造コストを上昇させる一因となる。
【００３４】
また、本実施形態に係るエアコンプレッサ１Ａでは、ＬＥＤランプ３１，３２が操作パネル２０に設けられているとともに、操作パネル２０の背後に配置されている回路基板２２から電力の供給を受けて発光する。つまり、ＬＥＤランプ３１，３２と当該ＬＥＤランプ３１，３２に対する電力供給源である回路基板２２とが近接配置されている。よって、回路基板２２とＬＥＤランプ３１，３２とをボンディングワイヤ等からなる電気配線を介して接続するだけでＬＥＤランプ３１，３２に必要な電力を供給することができるとともに、その電気配線が極めて短くて済む。要するに、ＬＥＤランプ３１，３２に電力を供給するための電気配線を新設する必要がないか、電気配線を新設する場合であってもその電気配線は極めて短いものとなる。
【００３５】
（第２の実施形態）
以下、本発明の空気圧縮機の実施形態の他の一例について図７，図８を参照しながら説明する。もっとも、本実施形態に係る空気圧縮機は、第１の実施形態に係るエアコンプレッサ１Ａと同一の基本構成を有するエアコンプレッサである。そこで、第１の実施形態に係るエアコンプレッサ１Ａと本実施形態に係るエアコンプレッサとの相違点について以下に説明し、同一または実質的に同一の構成についての説明は適宜省略する。また、既に説明した構成と同一または実質的に同一の構成については、図７，図８中に同一の符号を付して説明に代える。
【００３６】
図７に示されるエアコンプレッサ１Ｂでは、操作パネル２０の内側に減圧弁１３ａ，１３ｂおよび圧力計１４ａ，１４ｂが設けられている。もっとも、減圧弁１３ａ，１３ｂおよび圧力計１４ａ，１４ｂと操作パネル２０とは別体である。
【００３７】
図８は、減圧弁１３ａおよび圧力計１４ａの周辺構造を示す部分拡大断面図である。同図に示されるように、減圧弁１３ａは、操作パネル２０に設けられている略円形の穴２３ａを通して操作パネル２０の上方に突出している。また、圧力計１４ａの上面（表示面）は、操作パネル２０に設けられている略円形の窓２４ａを通して外部に露出しており、窓２４ａの内側には、圧力計１４ａの上面を取り囲む環状のＬＥＤランプ３１が設けられている。
【００３８】
尚、図７に示されている減圧弁１３ｂおよび圧力計１４ｂの周辺構造を示す部分拡大断面図は省略するが、同図に示されている減圧弁１３ｂは、操作パネル２０に設けられている略円形の穴２３ｂを通して操作パネル２０の上方に突出している。また、圧力計１４ｂの上面（表示面）は、操作パネル２０に設けられている略円形の窓２４ｂを通して外部に露出しており、この窓の内側には、圧力計１４ｂの上面を取り囲む環状のＬＥＤランプが設けられている。つまり、減圧弁１３ａおよび圧力計１４ａの周辺構造と減圧弁１３ｂおよび圧力計１４ｂの周辺構造とは同一である。
【００３９】
操作パネル２０には、２つの照明ボタン２１ａ，２１ｂが設けられている。圧力計１４ａの近傍に設けられている照明ボタン２１ａが押されると、圧力計１４ａの周囲に設けられているＬＥＤランプ３１（図８）が点灯し、圧力計１４ａが照明される。一方、圧力計１４ｂの近傍に設けられている照明ボタン２１ｂが押されると、圧力計１４ｂの周囲に設けられているＬＥＤランプ（不図示）が点灯し、圧力計１４ｂが照明される。
【００４０】
本発明は上記実施形態に限定されるものではなく、その要旨を逸脱しない範囲で種々変更可能である。例えば、上記２つの実施形態に係るエアコンプレッサ１Ａ，１Ｂにおいては、使用者の操作に基づいて光源としてのＬＥＤランプ３１，３２が点灯または消灯した。しかし、使用者の操作に関わらず光源が発光し、または光源の発光状態が変化する実施形態もある。図９，図１０に、第１の実施形態に係るエアコンプレッサ１Ａが備えるＬＥＤランプ３１，３２を使用者の操作に関わらず発光（点灯）させる場合の制御フローの異なる例を示す。
【００４１】
図９に示される制御フローでは、主電源がＯＮされると、制御部はＳＴＥＰ１を実行して入力電圧が規定範囲内であるか否かを確認する。制御部は、ＳＴＥＰ１において入力電圧が規定範囲内であると判断するとＳＴＥＰ２に移行し、圧縮空気生成部６（図１）を動作させる。一方、制御部は、ＳＴＥＰ１において入力電圧が規定範囲内ではないと判断するとＳＴＥＰ３に移行し、圧縮空気生成部６を動作させることなく、ＬＥＤランプ３１，３２（図２）を点灯させる。その後、制御部はＳＴＥＰ７に移行して処理を終了する。もっとも、制御部は、処理を終了した後も主電源がＯＦＦされるまでＬＥＤランプ３１，３２を点灯させ続ける。これにより、ＬＥＤランプ３１，３２の点灯によって異常の発生が使用者に報知される。
【００４２】
また、ＳＴＥＰ２において圧縮空気生成部６を動作させた制御部は、ＳＴＥＰ４に移行し、入力電圧が規定範囲内であるか否かを再度確認する。制御部は、ＳＴＥＰ４において入力電圧が規定範囲内であると判断するとＳＴＥＰ５に移行し、主電源がＯＦＦされたか否かを確認する。以後、制御部は、ＳＴＥＰ４，５を繰り返す。この間、ＳＴＥＰ４において入力電圧が規定範囲内ではないと判断すると、ＳＴＥＰ６に移行して圧縮空気生成部６の動作を停止させる。その後、制御部は、ＳＴＥＰ３に移行してＬＥＤランプ３１，３２を点灯させた後、ＳＴＥＰ７に移行して処理を終了する。一方、制御部は、ＳＴＥＰ５において主電源がＯＦＦされたと判断すると、ＳＴＥＰ７に移行して処理を終了する。
【００４３】
図１０に示される制御フローは、ＳＴＥＰ１，４における判断内容が異なる以外は図９に示される制御フローと同一である。図１０に示される制御フローでは、ＳＴＥＰ１，４において、制御回路およびモータの温度が規定値（規定範囲内）であるか否かが判断される。その結果、制御回路およびモータの温度が規定値ではない場合、つまり何らかの異常が発生している場合には、ＬＥＤランプ３１，３２の点灯によって異常の発生が使用者に報知される。尚、制御部は、所定の温度センサの検出結果に基づいて制御回路およびモータの温度が規定値であるか否かを判断する。
【００４４】
図９，図１０に示されるＳＴＥＰ３では、ＬＥＤランプ３１，３２を点滅させてもよく、通常とは異なる発光色で発光させてもよい。例えば、使用者の操作に基づいてＬＥＤランプ３１，３２を発光させるときの発光色は白色とし、何らかの異常の発生に起因してＬＥＤランプ３１，３２を発光させるときの発光色は赤色としてもよい。特に、使用者の操作に基づいてＬＥＤランプ３１，３２を発光させている最中に何らかの異常が発生した場合には、ＬＥＤランプ３１，３２の発光状態を点灯から点滅に変更したり、発光色を変更したりすることが好ましい。
【００４５】
また、図１，図２に示される操作パネル２０の一部を圧力計１４ａ，１４ｂの上方や近傍まで張り出させ、その張出し部にＬＥＤランプ３１，３２を設けてもよい。また、図１，図２に示されるＬＥＤランプ３１，３２を操作パネル２０に埋設してもよい。例えば、操作パネル２０に左右両側にそれぞれ形成された凹部にＬＥＤランプ３１，３２を収容するとともに、それら凹部の開口部を透光性部材で閉塞してもよい。
【００４６】
さらに、カバー上に、赤外線センサや距離センサ、接触センサなどで構成される人感センサを設け、使用者が空気圧縮機に近づいた際や空気圧縮機の操作パネルや減圧弁、ハンドルなどに触れたときに光源が発光するようにしてもよい。この場合、使用者が圧力計等を確認したいときにだけ光源を発光させることができる。つまり、圧力計等の確認を必要としない間の光源の発光を控え、電力消費を抑えることができる。
【符号の説明】
【００４７】
１Ａ，１Ｂ  エアコンプレッサ
２    本体
３    脚部
４ａ，４ｂ    ハンドル
５    カバー
５ａ    第１搭載面
５ｂ    第２搭載面
６    圧縮空気生成部
７    ステージ
７ａ    上面
７ｂ    右側面
７ｃ    左側面
１０ａ，１０ｂ    空気タンク
１１ａ，１１ｂ，１２ａ，１２ｂ    ソケット
１３ａ，１３ｂ    減圧弁
１４ａ，１４ｂ    圧力計
２０    操作パネル
２１，２１ａ，２１ｂ    照明ボタン
２２    回路基板
２３ａ，２３ｂ    穴
２４ａ，２４ｂ    窓
３１，３２    ＬＥＤランプ
３３，３４    導光溝
３５    反射材
３６    導光部材
【図１】
2019002322.tif 000003
【図２】
2019002322.tif 000004
【図３】
2019002322.tif 000005
【図４】
2019002322.tif 000006
【図５】
2019002322.tif 000007
【図６】
2019002322.tif 000008
【図７】
2019002322.tif 000009
【図８】
2019002322.tif 000010
【図９】
2019002322.tif 000011
【図１０】
2019002322.tif 000012